(57)【特許請求の範囲】
【請求項１】
針を使用せずにシート束を綴じる第１の綴じ手段と、
針を使用してシート束を綴じる第２の綴じ手段と、
シート束を綴じる枚数によって、前記第１の綴じ手段及び前記第２の綴じ手段の何れか一方による綴じ処理に自動的に切り替える制御を行う制御手段と、
ユーザにより設定された印刷設定情報から前記第１の綴じ手段と前記第２の綴じ手段とによりそれぞれなされる綴じ処理内容を導き出す導出手段と、
前記導出手段の前記各綴じ処理内容を報知する報知手段と、
印刷処理実行前に、ユーザに対して現在の印刷設定状況を確認させるための前記各綴じ処理内容の報知をするように前記報知手段を制御する報知制御手段と、
を備えた、画像形成装置に接続されたシート処理装置であって、
前記報知手段によって前記各綴じ処理内容に関してなされる最初の報知は、前記シート束を綴じる枚数によって、前記第１の綴じ手段及び前記第２の綴じ手段の何れか一方による綴じ処理に自動的に切り替わることをユーザに報知するシート処理装置。
【請求項２】
請求項１記載のシート処理装置において、
前記報知手段は、前記各綴じ処理内容を表示する表示手段であることを特徴とするシート処理装置。
【請求項３】
請求項２記載のシート処理装置において、
前記ユーザによる前記現在の印刷設定状況確認後に、前記ユーザにより設定された印刷設定を再度変更可能とする設定変更手段を備えたことを特徴とするシート処理装置。
【請求項４】
請求項２又は３記載のシート処理装置において、
前記導出手段により導出された前記各綴じ処理内容を、前記表示手段に表示させないことを選択することが可能な確認画面非表示手段を、さらに備えたことを特徴とするシート処理装置。
【請求項５】
シートに画像を形成する画像形成装置と、該画像形成装置で画像が形成されたシートを処理するシート処理手段と、を備えた画像形成システムであって、
前記シート処理手段として、請求項１ないし４の何れか１つに記載のシート処理装置を備えたことを特徴とする画像形成システム。
【請求項６】
シートに画像を形成する画像形成装置であって、
画像が形成されたシートを処理するシート処理手段として、請求項１ないし４の何れか１つに記載のシート処理装置を備えたことを特徴とする画像形成装置。
【請求項７】
針を使用せずにシート束を綴じる第１の綴じ手段と、
針を使用してシート束を綴じる第２の綴じ手段と、
シート束を綴じる枚数によって、前記第１の綴じ手段及び前記第２の綴じ手段の何れか一方による綴じ処理に自動的に切り替える制御を行う制御手段と、
ユーザにより設定された印刷設定情報から前記第１の綴じ手段と前記第２の綴じ手段とによりそれぞれなされる綴じ処理内容を導き出す導出手段と、
前記導出手段の前記各綴じ処理内容を報知する報知手段と、
印刷処理実行前に、ユーザに対して現在の印刷設定状況を確認させるための前記各綴じ処理内容の報知をするように前記報知手段を制御する報知制御手段と、
を備えたシート処理装置と、該シート処理装置に接続された画像形成装置と、該画像形成装置に接続されたコンピュータとから構成されるシート処理システムのプリンタツールであって、
前記報知手段によって前記各綴じ処理内容に関してなされる最初の報知は、前記シート束を綴じる枚数によって、前記第１の綴じ手段及び前記第２の綴じ手段の何れか一方による綴じ処理に自動的に切り替わることをユーザに報知するものであり、
前記画像形成装置及び該画像形成装置を介して前記シート処理装置に動作指示を与えることが可能なプログラムが前記コンピュータにインストールされるシート処理システムのプリンタツール。
【発明の詳細な説明】
【技術分野】
【０００１】
本発明は、用紙などのシートを処理するシート処理装置、そのシート処理装置を備えた画像形成装置、画像形成システム、及びシート処理システムのプリンタツールに関する。
【背景技術】
【０００２】
近年の少資源やリサイクル性の観点から、金属針を使用しない綴じ装置が発明・考案されてきている。これは、画像形成装置から出力されたシートとしての複数枚の用紙に綴じ処理を行うフィニッシャーとも呼ばれるシート処理装置において、針無し綴じユニットと針有り綴じユニットとの両方を搭載する装置として知られている（例えば、特許文献１参照）。
【０００３】
特許文献１を含め、今までの針無し綴じユニット及び針有り綴じユニットの両方を搭載するシート処理装置では、針無し綴じユニットの綴じ可能枚数が針有り綴じユニットに比べて少なく設定されている。そのため、針無し綴じユニットの綴じ可能枚数に至るまでは針無し綴じユニットを使用し、針無し綴じユニットの綴じ可能枚数を超える場合は針有り綴じユニットを使用する、という制御が行われていた。
【発明の概要】
【発明が解決しようとする課題】
【０００４】
しかしながら、画像形成装置から出力される用紙の枚数は、片面／両面、集約モードなどにより変化するため、印刷を実行するユーザの意図しない処理結果になる、という問題があった。
具体的には、針無し綴じユニットの綴じ可能枚数の設定が上限値未満に設定された場合には、次のような処理結果になる。例えば、上限値５枚に対して、設定値３枚で設定された場合、これら中間の４枚の時に針有り綴じで処理されてしまい、ユーザの意図しない処理結果になってしまう。
また、針有り綴じの方が用紙の保持力が高いため、針無し綴じユニットの綴じ可能枚数以下であっても、針有り綴じに変更して処理したいユーザも考えられる。
【０００５】
本発明は、上述した事情に鑑みてなされたものであり、針有り及び針無し両方の綴じユニットを搭載するシート処理装置において、ユーザが意図する処理内容でシート束を処理可能にすることを目的とする。
【課題を解決するための手段】
【０００６】
上記目的を達成するために、本発明は、針を使用せずにシート束を綴じる第１の綴じ手段と、針を使用してシート束を綴じる第２の綴じ手段と、シート束を綴じる枚数によって、前記第１の綴じ手段及び前記第２の綴じ手段の何れか一方による綴じ処理に自動的に切り替える制御を行う制御手段と、ユーザにより設定された印刷設定情報から前記第１の綴じ手段と前記第２の綴じ手段とによりそれぞれなされる綴じ処理内容を導き出す導出手段と、前記導出手段の前記各綴じ処理内容を報知する報知手段と、印刷処理実行前に、ユーザに対して現在の印刷設定状況を確認させるための前記各綴じ処理内容の報知をするように前記報知手段を制御する報知制御手段と、を備えた、画像形成装置に接続されたシート処理装置であって、前記報知手段によって前記各綴じ処理内容に関してなされる最初の報知は、前記シート束を綴じる枚数によって、前記第１の綴じ手段及び前記第２の綴じ手段の何れか一方による綴じ処理に自動的に切り替わることをユーザに報知するシート処理装置である。
【発明の効果】
【０００７】
本発明によれば、上記構成により、針有り綴じユニット及び針無し綴じユニットの両方を搭載するシート処理装置において、ユーザが意図する処理内容でシート束を処理することができる。
【図面の簡単な説明】
【０００８】
【図１】実施形態１を示す画像形成システム全体の正面図である。
【図２】実施形態１の用紙後処理装置全体の構成図である。
【図３】（ａ）は針有り綴じユニット及び針無し綴じユニットの配置構成を示す斜視図、（ｂ）は（ａ）の平面図である。
【図４】（ａ）は針有り綴じユニットの針有り綴じ処理を説明する斜視図、（ｂ）は針有り綴じユニットにより打ち込まれたスティプル針で用紙束が綴じられている状態を示す断面図である。
【図５】針無し綴じユニットの針無し綴じ処理を説明する斜視図である。
【図６】（ａ）は針無し綴じユニットによる針無し綴じ処理動作前の説明図、（ｂ）は針無し綴じ処理動作を説明する図である。
【図７】（ａ）、（ｂ）は用紙の整合動作を説明する平面図である。
【図８】操作部の平面図である。
【図９】実施形態１の画像形成システムの主な制御構成を示すブロック図である。
【図１０】実施形態の動作例１の動作順序を示すフローチャートである。
【図１１】操作部のＬＣＤ表示部に表示される設定確認画面の表示例を示す平面図である。
【図１２】実施形態１の動作例１とは別の動作例２の動作順序を示すフローチャートである。
【図１３】操作部のＬＣＤ表示部に表示される綴じ設定変更画面の表示例を示す平面図である。
【図１４】操作部のＬＣＤ表示部に表示される綴じ設定変更画面（変更後）の表示例を示す平面図である。
【図１５】操作部のＬＣＤ表示部に表示される設定確認画面（変更後）の表示例を示す平面図である。
【図１６】変形例１の動作例３の動作順序を示すフローチャートである。
【図１７】実施形態２に係るシート処理システムの主な制御構成を示すブロック図である。
【図１８】パソコンの出力装置のＬＣＤディスプレイに表示されるプリンタドライバ表示部の初期画面表示例を示す平面図である。
【図１９】実施形態２の動作例４の動作順序を示すフローチャートである。
【図２０】プリンタドライバ表示部に表示される設定確認画面の表示例を示す平面図である。
【図２１】実施形態２の動作例４とは別の動作例５の動作順序を示すフローチャートである。
【図２２】プリンタドライバ表示部に表示される綴じ設定変更画面の表示例を示す平面図である。
【図２３】プリンタドライバ表示部に表示される綴じ設定変更画面（変更後）の表示例を示す平面図である。
【図２４】プリンタドライバ表示部に表示される綴じ設定変更画面（変更後）の図２３とは別の表示例を示す平面図である。
【発明を実施するための形態】
【０００９】
以下、図を参照して実施例を含む本発明の実施の形態（以下、「実施形態」という）を詳細に説明する。各実施形態等に亘り、同一の機能及び形状等を有する構成要素（部材や構成部品）等については、混同の虞がない限り一度説明した後では同一符号を付すことによりその説明を省略する。図及び説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００１０】
（実施形態１）
図１を参照して、本発明の実施形態１に係る画像形成システムを説明する。図１は、本発明の画像形成システムに係る実施形態１を示す画像形成システム全体の正面図である。同図に示す画像形成システムは、上流に配置された画像形成装置１と、この画像形成装置１に通信可能に接続され、且つ機械的に連結されたシート処理装置としての用紙後処理装置６とから構成される。
【００１１】
図１に示す画像形成装置１は、その内部構成を省略するが、電子写真方式でトナー画像を用紙上に形成し、その画像形成済みの用紙を図示しない搬送手段としての搬送ローラで用紙後処理装置６に送り出す構成を備えている。このような画像形成装置１の具体例としては、例えば本出願人による特開２０１３−１３０７３０号公報が挙げられる。
尚、画像形成装置１は、電子写真方式でトナー画像を用紙上に形成するものに限らず、インクジェット方式等の別の印刷方式で画像を形成するものであってもよい。
装置本体１Ａの一側（図では左側）には、パンチユニットなどの穿孔装置、ソータなどの仕分け装置、スティプラなどの綴じ装置などを備えた用紙後処理装置６が設置されている。
【００１２】
用紙後処理装置６には、図１において斜視図で示すように、第１の綴じ手段ないしは針無し綴じ手段としての針無し綴じユニット２０１と、第２の綴じ手段ないしは針有り綴じ手段としての針有り綴じユニット２０２との両方が搭載されている。針無し綴じユニット２０１は、針を使用せずにシート束としての用紙束を綴じる装置であり、針有り綴じユニット２０２は、スティプル針などのような金属製の針を使用して用紙束を綴じる装置である。針無し綴じユニット２０１及び針有り綴じユニット２０２の詳細は、後述する。
【００１３】
図２を参照して、用紙後処理装置６の全体構成について説明する。図２は、実施形態１の用紙後処理装置全体の構成図である。
用紙後処理装置６は、画像形成装置１から受け入れられた用紙（通常、画像形成済みの用紙である）を搬送する入口搬送路Ａ、この入口搬送路Ａにそれぞれ連通された、上搬送路Ｂ、中間搬送路Ｃ、下搬送路Ｄを備えている。また、用紙後処理装置６は、画像形成装置１から搬送された用紙に所定の後処理を行う後処理手段として、以下の諸ユニットを備えている。即ち、パンチユニット２４３、針有り綴じユニット２０２、針無し綴じユニット（図２では図示せず、図１、図３等参照）、仕分け手段としてのシフトコロ２４９、折り手段としての折りプレート２５９、折りローラ２６０を備えている。尚、針有り綴じ手段は、スティプルユニットとも呼ばれる。
【００１４】
画像形成装置１から搬送された用紙は、パンチユニット２４３を有する入口搬送路Ａを通りプルーフトレイ２５８へ導く上搬送路Ｂ、シフトコロ２４９へ導く中間搬送路Ｃ、整合及び針有り・針無し綴じを行う綴じトレイ２５０へ導く下搬送路Ｄへ選択的に搬送される。そして、受け入れられた用紙は、分岐爪２６４、ターンガイド２７６及び分岐爪２６５、ターンガイド２７７によって振り分けられる。
尚、綴じトレイ２５０の図示は、図の簡明化のため、後述する図３、図４、図５、図７等では省略している。ターンガイド２７６及びターンガイド２７７は、丸で囲んだ部分に形成されるガイド部を示す。
【００１５】
上搬送路Ｂ、中間搬送路Ｃ、下搬送路Ｄの上流であって各々に対し共通な入口搬送路Ａには、上流側から順に、入口センサ３０１、パンチユニット２４３、パンチカスホッパ２４４、搬送ローラ２７１、分岐爪２６４、ターンガイド２７６が配置されている。入口センサ３０１は、図１の画像形成装置１から受け入れる用紙を検出するセンサである。搬送ローラ２７１は、ギヤ列等の駆動力伝達手段を介して連結された搬送モータ２１１によって回転駆動される。
【００１６】
分岐爪２６４及び後述する分岐爪２６５は、それぞれ、図示しないバネと図示しないソレノイドとの組み合わせにより、支軸（図示せず）を中心に揺動可能に構成されている。分岐爪２６４は、上記バネにより図２の実線の位置状態で保持されており、上記ソレノイドをオン（以下、「ＯＮ」と表記する）することにより、破線の位置に揺動して下搬送路Ｄ方向へ用紙を振り分ける。また、上記ソレノイドがオフ（以下、「ＯＦＦ」と表記する）ならば、分岐爪２６４は上記実線の位置状態で上搬送路Ｂへ用紙を振り分けて、プルーフ排紙ローラ２４７によりプルーフトレイ２５８に排紙する。
分岐爪２６５は、上記バネにより図２の実線の位置状態で保持されており、上記ソレノイドをＯＮすることにより、破線の位置に揺動して中間搬送路Ｃへ用紙を振り分ける。上記ソレノイドがＯＦＦならば、分岐爪２６５は上記実線の位置状態で用紙は下搬送路Ｄへ搬送される。
【００１７】
中間搬送路Ｃには、用紙搬送方向Ｘと直交する方向（以下、「用紙幅方向」ともいう）に一定量だけ移動可能なシフトコロ２４９が配置されている。搬送ローラ２７２及びターンガイド２７７を経て中間搬送路Ｃへ送られた用紙は、搬送中に、図示しない駆動手段によりシフトコロ２４９が用紙幅方向に一定量移動することによって、用紙が用紙幅方向に一定量ずらされる。この用紙幅方向に一定量ずらされた用紙は、その状態のまま放出ローラ２５５によって排紙され、排紙トレイ２５７に積載される。尚、シフトコロ２４９の用紙幅方向への移動タイミングは、入口センサ３０１の用紙検知情報及び用紙のサイズ情報等に基づき決定される。
【００１８】
下搬送路Ｄには、スティプルトレイ排紙センサ３０２が配置されている。このスティプルトレイ排紙センサ３０２は、下搬送路Ｄ中の用紙の有無及び綴じトレイ２５０へ用紙を排出する際の揃え動作のトリガとしている。下搬送路Ｄに送られた用紙は、各搬送ローラ２７３、２７４、２７５によって順次搬送され、綴じトレイ２５０に積載後、整合される。
【００１９】
図２〜図７を参照して、針有り綴じユニット２０２及び針無し綴じユニット２０１の配置部である綴じ部の構成及び動作について説明する。図３（ａ）は針有り綴じユニット２０２及び針無し綴じユニット２０１の配置構成を示す斜視図、図３（ｂ）は図３（ａ）の平面図である。図４は針有り綴じユニット２０２の針有り綴じ処理を説明する斜視図、図５は針無し綴じユニット２０１の針無し綴じ処理を説明する斜視図である。図６（ａ）は針無し綴じユニット２０１による針無し綴じ処理動作前の説明図、図６（ｂ）は針無し綴じ処理動作を説明する図である。図７（ａ）、図７（ｂ）は用紙の整合動作を説明する平面図である。
図２、図７に示すように、上述したように各搬送ローラ２７３、２７４、２７５によって搬送され、図２に示す綴じトレイ２５０上に搬送・積載された用紙Ｐは、綴じトレイ２５０上で、一対のジョガーフェンス２０４ａ、２０４ｂにより用紙幅方向Ｙに整合される。この用紙幅方向Ｙに整合された用紙Ｐは、用紙突き当て部材である後端揃えストッパ２０３ａ、２０３ｂを基準に叩きコロ２４８により用紙搬送方向に整合される。
【００２０】
図３（ｂ）に示すように、針有り綴じユニット２０２のホームポジション（初期位置）は、ジョガーフェンス２０４ｂの外側に配設された針有り綴じユニットホームポジションセンサ２１３によって検出される。
針有り綴じユニット２０２は、図２に示すように、針を打ち出すドライバ部２４５ａと用紙束ＰＡに打込まれた針の先端部を曲げるクリンチャ部２４５ｂとから構成されている。針有り綴じユニット２０２は、図示しない綴じトレイの用紙幅方向Ｙの全領域に渡り、用紙幅方向Ｙに沿って配設された針有り綴じユニット移動ガイドレール２１４によって安定して案内されることで、用紙幅方向Ｙに往復移動可能となっている。針有り綴じユニット２０２は、上記特開２０１３−１３０７３０号公報の図２に示されているものに限らず、様々な公知の針有り綴じ装置を使用可能である。
【００２１】
針有り綴じユニット２０２による、上述したように用紙幅方向Ｙ及び用紙搬送方向Ｘに整合された用紙束ＰＡの綴じ処理について説明する。針有り端綴じの場合は、図４（ａ）において、針有り綴じユニット２０２はホームポジションから針有り綴じユニット移動ガイドレール２１４に沿って移動し、端綴じを行う所定の位置で停止する。そして、図４（ｂ）に示すように、整合された用紙束ＰＡの後端をスティプル針２２１にて綴じ処理を施す。その後、端綴じ処理された用紙束ＰＡは、図２に示す放出ベルト２５４に取り付けられた放出爪２５１により上方に搬送され、放出ローラ２５５によって排紙トレイ２５７に排紙・積載される。また、放出ローラ２５５の下方には、排紙される用紙の量に応じて排紙トレイ２５７の高さを下降可能なように、紙面検知センサ３０３が配置されている。
【００２２】
一方、針有り中綴じの場合には、後端揃えストッパ２０３ａ、２０３ｂを基準に用紙束ＰＡが揃えられた後、後端揃えストッパ２０３ａ、２０３ｂを退避させる。次いで、揃えられた用紙束ＰＡは、束搬送ローラ対２５３ａ、２５３ｂにより下方へ束搬送され、中綴じ位置で針有り綴じユニット２０２により綴じ処理が行われる。そして中綴じ処理が終了すると、適宜中折り処理がなされる。即ち、束搬送ローラ対２６６ａ、２６６ｂにより、折り位置まで搬送され、折りプレート２５９と折りローラ２６０によって中折り処理がなされ、中折り排紙ローラ２６２によって中折り排紙トレイ２６３に排紙・積載される。用紙束ＰＡの用紙束搬送方向の綴じ位置は、束搬送ローラ対２５３ａ、２５３ｂにより、用紙束ＰＡを搬送することによって行う。これらにより、用紙束ＰＡの様々な位置に針有り綴じ処理を行うことができるようになっている。
尚、針無し綴じユニット２０１による用紙束ＰＡの綴じ処理中（移動中等も含む）は、針有り綴じユニット２０２は自らのホームポジションにおいて非駆動状態で待機している。
【００２３】
図３（ｂ）に示すように、針無し綴じユニット２０１のホームポジションは、ジョガーフェンス２０４ａの外側に配設された針無し綴じユニットホームポジションセンサ２１１によって検出される。針無し綴じユニット２０１は、図示しない綴じトレイの用紙幅方向Ｙの一部領域に渡り、用紙幅方向Ｙに沿って配設された針無し綴じユニット移動ガイドレール２１２によって安定して案内されることで、用紙幅方向Ｙに往復移動可能となっている。
【００２４】
針無し綴じユニット２０１は、図５及び図６に示すように、図示しない昇降手段によって昇降可能な上綴じ歯２２３と、上下方向に移動不能に固定して設けられた下綴じ歯２２４とから構成されている。このように針無し綴じユニット２０１では、用紙束の厚さ方向である上下方向から圧力を加えて用紙同士を圧着し、用紙の繊維同士を絡み合わせて綴じる方式を採用している。針無し綴じユニット２０１は、これに限らず、様々な公知の針無し綴じ装置を使用可能である。
【００２５】
針無し綴じユニット２０１による、上述したように用紙幅方向Ｙ及び用紙搬送方向Ｘに整合された用紙束ＰＡの綴じ処理について説明する。針無し綴じユニット２０１は、ホームポジションから針無し綴じユニット移動ガイドレール２１２に沿って設定された所定の綴じ位置に移動し、整合された用紙束ＰＡの後端を上綴じ歯２２３と下綴じ歯２２４にて圧着し、図５に示すような綴じ歯跡２２２を形成する。圧着された用紙束ＰＡは、用紙の繊維同士が絡み合うことによって綴じられる。
尚、針有り綴じユニット２０２による用紙束ＰＡの綴じ処理中（移動中等も含む）は、針無し綴じユニット２０１は自らのホームポジションにおいて非駆動状態で待機している。
【００２６】
前記した入口センサ３０１は、設けられた位置における用紙の通過の有無を検知する、すなわち用紙後処理装置６の用紙の有無を検出するシート検出手段である。また、スティプルトレイ排紙センサ３０２も、下搬送路Ｄ中の用紙の有無、すなわち用紙後処理装置６の用紙の有無を検出するシート検出手段である。
【００２７】
図８を参照して、操作部１２７を説明する。操作部１２７は、画像形成装置１側に配置されていて、画像形成装置１及び用紙後処理装置６の上記各装置や各駆動部に指示を与えたり、動作状態を確認したりするためのものである。操作部１２７は、印刷条件の設定を行う印刷設定手段として機能する。操作部１２７は、テンキーやスタートボタン等のハードキーと、タッチパネル式のＬＣＤ表示部１２８とを備えている。
操作部１２７には、ＬＣＤ表示部１２８に加えて、上記各装置や各駆動部の動作状態を音声で報知する手段や、警告音を発生するブザー、あるいはＬＥＤ（発光ダイオード）等の点滅によりユーザの注意を喚起する手段を付加してもよい。従って、操作部１２７のＬＣＤ表示部１２８は、本発明に係る「表示手段」の上位概念である「報知手段」であってもよい。
【００２８】
図９を参照して、本実施形態に係る画像形成システムの主な制御構成について説明する。図９は、本実施形態の画像形成システムの主な制御構成を示すブロック図である。
用紙後処理装置６は、ＵＡＲＴ１３１、ＣＰＵ１３０、ＲＯＭ１３４、ＲＡＭ１３５及び図示しないタイマを有している。ＵＡＲＴは、Universal Asychronous Receiver Transmitterの略称である。用紙後処理装置６は、画像形成装置１側と回線１３８を介して、及び通信する通信手段であるＵＡＲＴ１３１を介して通信可能に接続されている。
ＣＰＵ１３０は、用紙束を綴じる枚数によって、針無し綴じユニット２０１及び針有り綴じユニット２０２の何れか一方による綴じ処理に自動的に切り替える制御を行う制御手段として機能する。また、ＣＰＵ１３０は、ユーザにより設定された印刷設定情報から針無し綴じユニット２０１と針有り綴じユニット２０２とによりそれぞれなされる綴じ処理内容を導き出す導出手段としての機能も有する。また、ＣＰＵ１３０は、印刷処理実行前に、ユーザに対して現在の印刷設定状況を確認させるための各綴じ処理内容の報知・表示をするように操作部１２７のＬＣＤ表示部１２８を制御する報知制御手段としても機能する。
尚、ＣＰＵ１３０の上記３つの機能は、画像形成装置１側の制御装置を構成するＣＰＵ１２０に付与してもよいし、適宜分担してもよい。
【００２９】
ＲＯＭ１３４は、後述する図１０〜図１５のプログラムや固定・関係データを記憶・保持する記憶手段としての機能を有する。ＲＡＭ１３５は、ＣＰＵ１３０に入力されるデータや演算結果のデータを一時的に記憶・保持する。ＵＡＲＴ１３１、ＲＯＭ１３４、ＲＡＭ１３５は、信号バス１３２を介してＣＰＵ１３０と電気的に接続されている。
また、入口センサ３０１、針無し綴じユニットホームポジションセンサ２１１、針有り綴じユニットホームポジションセンサ２１３は、Ｉ／Ｏインターフェイス１３６を介して、ＣＰＵ１３０に電気的に接続されている。また、搬送モータ２１１、針無し綴じユニット駆動部２０１Ｄ、針有り綴じユニット駆動部２０２Ｄは、Ｉ／Ｏインターフェイス１３６を介して、ＣＰＵ１３０に電気的に接続されている。用紙後処理装置６側の制御装置は、前記したＣＰＵ１３０、ＲＯＭ１３４、ＲＡＭ１３５、図示しないタイマ、信号バス１３２、Ｉ／Ｏインターフェイス１３６を有するマイクロコンピュータを具備している。
【００３０】
ＣＰＵ１３０には、画像形成装置１側の制御装置を構成するＣＰＵ１２０あるいは操作部１２７の各種キーやスイッチ等、ＬＣＤ表示部１２８、及び各種センサ１１４からの信号が通信手段としてのＵＡＲＴ１２１、１３１を介して入力される。ＣＰＵ１３０は、これら入力された信号に基づいて所定の制御を実行する。
【００３１】
さらに、ＣＰＵ１３０は、モータドライバを介して搬送モータ２１１を制御し、Ｉ／Ｏインターフェイス１３６から用紙後処理装置６内のセンサ情報を取得する。また、ＣＰＵ１３０は、制御対象やセンサに応じてＩ／Ｏインターフェイス１３６を介してモータドライバによってモータの駆動制御を行い、センサからセンサ情報を取得する。前記制御は、ＲＯＭ１３４に格納されたプログラムコードをＣＰＵ１３０が読み込んでＲＡＭ１３５に展開し、当該ＲＡＭ１３５をワークエリア及びデータバッファとして使用しながら前記プログラムコードで定義されたプログラムに基づいて実行される。
尚、図９に示した用紙後処理装置６側の制御構成としては、本発明に密接に関連する制御構成を主に図示している。
【００３２】
画像形成装置１は、回線１３８を介して用紙後処理装置６のＵＡＲＴ１３１と互いに通信（送受信）可能なＵＡＲＴ１２１を有し、用紙後処理装置６と通信可能に接続されている。画像形成装置１側の制御装置としては、画像形成済みの用紙を上記図示しない搬送ローラを駆動する搬送モータ１１５を制御するためのＣＰＵ１２０を有する。画像形成装置１側の制御装置は、前記したＣＰＵ１２０、ＲＯＭ１２４、ＲＡＭ１２５、図示しないタイマ、信号バス１２２、Ｉ／Ｏインターフェイス１２６を有するマイクロコンピュータを具備している。
【００３３】
ＣＰＵ１２０には、用紙後処理装置６のＣＰＵ１３０あるいは操作部１２７の各種キーやスイッチ等、上記した各種センサ１１４からの信号がＩ／Ｏインターフェイス１２６を介して入力され、ＣＰＵ１２０は入力された信号に基づいて所定の制御を実行する。
また、ＣＰＵ１２０は、モータドライバを介して搬送モータ２１５を、ＬＣＤドライバを介して、報知・表示手段としての操作部１２７のＬＣＤ表示部１２８をそれぞれ駆動制御し、Ｉ／Ｏインターフェイス１２６から画像形成装置１内のセンサ情報を取得する。前記制御は、ＲＯＭ１２４に格納されたプログラムコードをＣＰＵ１２０が読み込んでＲＡＭ１２５に展開し、当該ＲＡＭ１２５をワークエリア及びデータバッファとして使用しながら前記プログラムコードで定義されたプログラムに基づいて実行される。
【００３４】
尚、画像形成装置１側の制御構成としては、画像形成やシート処理機能を実現するための制御対象デバイスも有するが、図の簡明化のためその図示を省略しており、図９は本発明に密接に関連する制御構成を主に図示している。また、本実施形態では他の機器との通信手段としてＵＡＲＴを使用しているが、通信手段の種類を限定するものではない。また一時記憶手段としてＲＡＭを使用しているが、同様に記憶手段の種類を限定するものではない。
【００３５】
（動作例１）
図１０及び図１１を参照して、本実施形態１の動作例１を説明する。図１０は本実施形態の動作例１の動作順序を示すフローチャート、図１１はＬＣＤ表示部に表示される設定確認画面の表示例を示す平面図である。
まず、図８に示した操作部１２７において、ユーザは印刷物に対して行う、片面／両面、集合、スティプル、パンチ穴などの印刷モードを選択し（ステップＳ１）、画像形成装置１に印刷指示を行う（ステップＳ２）。画像形成装置１が印刷指示を受けると、設定情報から、スティプルモードが選択されているか否かを判断する（ステップＳ３）。ここで、スティプルモードが選択されていなければ、選択された印刷モードで印刷を実行するステップＳ６に進み、選択された印刷モードの設定条件で印刷を実行する。
【００３６】
ステップＳ３において、スティプルモードが選択された場合には、画像形成装置１のＬＣＤ表示部１２８の画面上にスティプルモードの現在の設定を確認する設定確認画面を即座に表示する（ステップＳ４）。これにより、ユーザに対してスティプルモードの設定が正しいかの確認を促す。この際の設定確認画面の一例が、図１１に示すＬＣＤ表示部１２８の画面に示されている。
この設定確認画面表示の実行は、ＣＰＵ１３０（又はＣＰＵ１２０）の有する導出手段及び報知制御手段ないし表示制御手段の機能に基づいてなされる。即ち、ユーザにより設定された印刷設定情報から針無し綴じユニット２０１と針有り綴じユニット２０２とによりそれぞれなされる綴じ処理内容を導き出す導出手段としての機能である。また、印刷処理実行前に、ユーザに対して現在の印刷設定状況を確認させるための前記各綴じ処理内容の表示をするようにＬＣＤ表示部１２８を制御する報知制御手段ないし表示制御手段としての機能である。
尚、ステップＳ４においては、適宜、ブザー吹鳴により警告音やＬＥＤの点滅表示などの併用によってユーザに対する報知・表示確認を必ず行うように注意的に促すようにしてもよい。
【００３７】
図１１に示すＬＣＤ表示部１２８の画面表示における「<針無し>、２枚〜５枚、斜め１箇所」、「<針有り>、６枚〜５０枚、長辺２箇所」及びそれらの図表示は、ＲＯＭ１３４（又はＲＯＭ１２４）に予め記憶されている関係データに基づくものである。即ち、ＣＰＵ１３０（又はＣＰＵ１２０）がＲＯＭ１３４（又はＲＯＭ１２４）の関係データを呼び出し、ユーザの印刷設定情報から針無し綴じユニット２０１と針有り綴じユニット２０２とによりそれぞれなされる綴じ処理内容を導き出すことによって表示される。これは、勿論、用紙後処理装置の機種ごとに異なるものであってもよい。
ＬＣＤ表示部１２８の画面表示において、図の下方にある実行キー１２８ａは設定確認画面の表示がユーザの希望するところで正しいときにタッチして選択するためのキーである。キャンセルキー１２８ｂは、設定確認画面の表示での実行をキャンセルする場合のものである。また、設定変更キー１２８ｃは、ユーザによる現在の印刷設定状況確認後に、ユーザにより設定された印刷設定を再度変更可能とする設定変更手段として機能する。
【００３８】
図１１の設定確認画面に表示された設定がユーザの希望するところで正しければ、ステップＳ５の［選択肢１］において、ユーザは「実行」を選択すると、選択された印刷モードの設定条件で印刷を実行する（ステップＳ６）。尚、実行キー１２８ａを選択すると、実行キー部分が白黒反転表示されることで、画面表示内容が選択されたことを表示するようになっている。これは、他のソフトキーでも同様であるため、以下、そのような細部説明を省略する。
一方、上記設定がユーザの希望するところでなく、印刷指示自体をキャンセルしたければ、ユーザは図１１の設定確認画面で「キャンセル」を選択し（ステップＳ５）、再度印刷モードの選択（ステップＳ1）からやり直すこととなる。
【００３９】
以上説明した通り、本実施形態の動作例１によれば、以上の設定確認制御を行うことで、ユーザの意図通りの出力結果（用紙束の処理を含む）を得ることができる。
換言すれば、針有り綴じユニット２０２及び針無し綴じユニット２０１の両方を搭載する用紙後処理装置６と画像形成装置１との画像形成システムにおいて、ユーザが意図する処理内容で用紙束を処理することができる。また、画像形成装置１に接続された用紙後処理装置６において、ユーザが意図する処理内容で用紙束を処理することができる。
【００４０】
（動作例２）
図１２〜図１５を参照して、実施形態１の動作例１とは別の動作例２を説明する。図１２は実施形態１の動作例１とは別の動作例２の動作順序を示すフローチャートである。図１３はＬＣＤ表示部に表示される綴じ設定変更画面の表示例を、図１４はＬＣＤ表示部に表示される綴じ設定変更画面（変更後）の表示例を、図１５はＬＣＤ表示部に表示される綴じ設定変更画面（変更後）の図１４とは別の表示例を、それぞれ示す平面図である。
動作例２は、ステップＳ１１から始まる。動作例２は、動作例１と比較して、図１２に示すように、第１に、キャンセルしなくてもスティプルモードの設定を変更可能にするため、設定確認画面で表示された設定を変更したいユーザは「設定変更」を選択できるようにした点（ステップＳ１５）が異なる。第２に、図１３、図１４に示すようにスティプルモードの設定を変更する画面を出力する点（ステップＳ１７）が異なる。
上記相違点以外の動作例２は、動作例１と同様である。即ち、動作例２におけるステップＳ１５を除くステップＳ１１〜ステップＳ１６は、動作例１におけるステップＳ５を除くステップＳ１〜ステップＳ６と同じである。
【００４１】
ステップＳ１５において、設定確認画面で表示された設定を変更したいユーザが「設定変更」を選択した場合には、スティプルモード設定変更画面が表示される（ステップＳ１７）。動作例２の設定変更画面では、ユーザの意図通りになるまで、設定変更を繰り返し（ステップＳ１８→ステップＳ１９→ステップＳ１７のループ）、変更が終了したら、設定の確認画面を表示する（ステップＳ１4）。
図１２のステップＳ１７で、ユーザに表示する設定変更画面の例が、図１３と図１４に示されている（両図には「綴じ設定変更画面」と記載している）。例えば、図１３の綴じ設定変更画面では画像形成装置１から搬送される用紙の枚数によって、針無し綴じの設定上限枚数（例では５枚）以下であれば針無し綴じを、設定上限以上であれば針有り綴じを「自動」で切り替える設定である。しかし、少数枚でも針有り綴じを行いたい場合は、図１４の綴じ設定変更画面（変更後）に示すように、スティプルモードを「針有り」に変更することで、針無し綴じの上限枚数に関わらず、確実に、針有り綴じを施すことができる（図１５参照）。具体的には、ユーザは図１４の綴じ設定変更画面（変更後）において、スティプルモードを「針有り」に変更したいので、「針有り」キーを選択すると、図１５に示す設定確認画面（変更後）に自動的に切り替わる。
尚、図１３、図１４の「綴じ設定変更画面」の下方にある決定キー１２８ｄは、その綴じ設定変更画面がユーザの意図する通りで最終的に選択決定するためのものである。
【００４２】
本実施形態の動作例２によれば、以上の設定確認制御を行うことで、ユーザの意図通りの出力結果（用紙束の処理を含む）を得ることができる。また、スティプル機能に絞って、印刷設定を変更することが可能なため、ユーザの手間を省略することができる。
【００４３】
（変形例１）
図１６を参照して、実施形態１の変形例１を説明する。図１６は変形例１の動作例３の動作順序を示すフローチャートである。
図１０及び図１２の制御フローでは、ユーザがスティプル設定で印刷実行すると、必ず設定確認画面が表示されていた。しかし、利用するユーザが限られている場合や、オフィス内で利用方法がルール化されている場合などは、設定確認画面を表示することが手間となる場合がある。また、スティプル針のような異物混入を懸念する場合や、スティプル針での怪我を懸念する場合など、基本的に針無し綴じしか利用しないユーザや、その逆で針有り綴じしか利用しないユーザにとっても、設定確認画面の表示は余計な手間となる。
【００４４】
そこで、変形例１では、設定確認画面を表示させない設定をできるようにしておく点が特徴である。変形例１は、実施形態１と比較して、導出手段としてのＣＰＵ１３０（又はＣＰＵ１２０）により導出された各綴じ処理内容を、ＬＣＤ表示部１２８に表示させないことを選択することが可能な確認画面非表示手段（図示せず）をさらに備えた点のみ相違する。この相違点以外の変形例１の構成は、実施形態１と同様である。
各綴じ処理内容をＬＣＤ表示部１２８に表示させない確認画面非表示手段としては、図示を省略しているが、ＬＣＤ表示部１２８に「設定確認画面表示を設定しなくてもよろしいですか？「はい」、「いいえ」」という画面表示例が挙げられる。
【００４５】
変形例１の動作例３について、動作例２と相違する点を中心に補説する。図１６のフローにおいて、変形例１の動作例３は、動作例２と比較して、ステップＳ２４が付加されたが相違する。この相違点以外の動作例３は、動作例２と同様である。即ち、動作例３におけるステップＳ２４を除き、ステップＳ２１〜ステップＳ２３、ステップＳ２５〜ステップＳ３０は、動作例２のステップＳ１１〜ステップＳ１９と同じである。
ステップ２４において、設定確認画面を表示する前に、「設定確認画面表示を設定しなくてもよろしいですか？「はい」、「いいえ」」という画面表示がＬＣＤ表示部１２８にされる（図１６では、「確認画面表示オン？」と略称されている）。ここで、「はい」を選択すれば、設定確認画面表示の設定がされずにステップＳ２７（図１２のステップＳ１６に相当）に進み、選択された印刷モードの設定条件で印刷を実行する。
一方、「いいえ」を選択すれば、設定確認画面表示の設定が動作例２と同様になされて、動作例２と同様の動作を行うことができる。
【００４６】
本変形例１の動作例３によれば、以上の設定確認制御を行うことで、ユーザの意図通りの出力結果（用紙束の処理を含む）を得ることができる。また、設定確認画面表示を確認する手間を省略することができる。
【００４７】
上記背景技術に挙げた特許文献１では、針無し綴じの綴じ可能枚数を超えた場合でも綴じ処理を実行する目的で、次のように制御していた。即ち、綴じ可能枚数を超えたときに分冊処理での綴じ処理の実行確認を行い、オーケーであれば綴じ可能枚数ごとに針無し綴じ処理を実行し、キャンセルであれば針無し綴じ処理をキャンセルして針有り綴じ処理に切り替えて綴じ処理を実行する制御方法であった。しかしながら、特許文献１記載の技術では、本発明のように、針有りの綴じ箇所のような全ての設定を変更することはできない、という制約・問題点があるものであった。
【００４８】
（実施形態２）
図１７を参照して、本発明の実施形態２に係るシート処理システムのプリンタツールを説明する。図１７は、実施形態２に係るシート処理システムの主な制御構成を示すブロック図である。図１７に示すシート処理システムは、実施形態１と同様の画像形成装置１と、画像形成装置１に接続された実施形態１と同様の用紙後処理装置６と、画像形成装置１に通信可能に接続されたパーソナルコンピュータ（以下、パソコンという）１０とから構成される。
尚、パソコン１０は、コンピュータの一例であり、ＬＡＮ（Local Area Network）を含むネットワークを介して画像形成装置１に接続されるものであってもよい。パソコン１０に限らず、ホストコンピュータ等であってもよい。
【００４９】
パソコン１０は、回線２１を介して画像形成装置１のＵＡＲＴ１２１と互いに通信（送受信）可能なＩ／Ｆ（インターフェイス）１２を有し、画像形成装置１と通信可能に接続されている。パソコン１０は、制御及び演算機能を有する中央処理装置としてのＣＰＵ１１、前記したＩ／Ｆ１２、記憶装置１４、入力装置１６、出力装置１８を具備している。
ＣＰＵ１１は、Ｉ／Ｆ１２と、記憶装置１４と、入力装置１６と、出力装置１８と、後述するそれぞれの機能を発揮するようＩ／Ｏインターフェイスケーブルや、信号ケーブルを介して接続されている。
【００５０】
記憶装置１４としては、主記憶装置であるＲＡＭからなるメインメモリと、ハードディスクドライブ（ＨＤＤ）や光ディスクドライブなどの補助記憶装置（外部記憶装置）と、ＣＤ−ＲＯＭドライブ（外部記憶装置）とを有する。「画像形成装置１及び画像形成装置１を介して用紙後処理装置６に動作指示を与えることが可能なプログラム」を記憶したＣＤ−ＲＯＭのデータを、ＣＤ−ＲＯＭドライブで読み出し、補助記憶装置にインストールすることができるように構成されている。前記プログラムは、本発明に係るプリンタツールとしてのユーティリティソフトウェアとして機能する。前記プログラムの処理フローは、例えば後述する図１９の動作例４や図２１の動作例５のフローチャートに表されている。インストールする記憶媒体としては、ＣＤ−ＲＯＭに限らず、他の公知の記憶媒体でもよく、これに対応した読み出しドライブを備えていればよい。
入力装置１６としては、キーボード、マウス、スキャナなどを有する。出力装置１８としては、ＬＣＤ等からなるディスプレイやプリンタなどを有する。出力装置１８のＬＣＤディスプレイには、後述する動作の進行により画面表示が切り替えれるプリンタドライバ表示部２０が表示されるようになっている。
【００５１】
以下、説明する動作例４及び５では、「画像形成装置１及び画像形成装置１を介して用紙後処理装置６に動作指示を与えることが可能なプログラム」が記憶装置１４のハードディスクドライブに予めインストールされているものとする。実施形態２では、針有り及び針無し綴じユニットの両方を搭載するシート処理装置と、画像形成装置と、コンピュータとから構成されるシート処理システムにおいて、以下の目的を達成することにある。即ち、綴じ処理についてのシステム設定値を変更することなくパソコン側（プリンタツール側）の設定で希望の処理を実行することを目的とする。
【００５２】
（動作例４）
図１８〜図２０を参照して、実施形態２の動作例４を説明する。図１８はパソコンの出力装置のＬＣＤディスプレイに表示されるプリンタドライバ表示部の初期画面表示例を示す平面図、図１９は実施形態２の動作例４の動作順序を示すフローチャート、図２０はプリンタドライバ表示部に表示される設定確認画面の表示例を示す平面図である。
まず、図１８に示したプリンタドライバ表示部２０の初期画面において、ユーザは印刷物に対して行う、片面／両面、集合、スティプル、パンチ穴などの印刷モードを選択し（ステップＳ３１）、画像形成装置１に印刷指示を行う（ステップＳ３２）。ここで、印刷モードの選択には、図１７に示したパソコン１０の入力装置１６であるマウスなどを用いて行う。画像形成装置１が印刷指示を受けると、設定情報から、スティプルモードが選択されているか否かを判断する（ステップＳ３３）。ここで、スティプルモードが選択されていなければ、選択された印刷モードで印刷を実行するステップＳ３６に進み、選択された印刷モードの設定条件で印刷を実行する。
【００５３】
ステップＳ３３において、スティプルモードが選択された場合には、プリンタドライバ表示部の画面上にスティプルモードの現在の設定を確認する設定確認画面を即座に表示する（ステップＳ３４）。これにより、ユーザに対してスティプルモードの設定が正しいかの確認を促す。この際の設定確認画面の一例が、図２０に示すプリンタドライバ表示部２０の画面表示に示されている。
この設定確認画面表示の実行は、ＣＰＵ１３０（又はＣＰＵ１２０）の有する導出手段及び報知制御手段ないし表示制御手段の機能に基づいてなされる。即ち、ユーザにより設定された印刷設定情報から針無し綴じユニット２０１と針有り綴じユニット２０２とによりそれぞれなされる綴じ処理内容を導き出す導出手段としての機能である。また、印刷処理実行前に、ユーザに対して現在の印刷設定状況を確認させるための前記各綴じ処理内容
の表示をするようにプリンタドライバ表示部を制御する報知制御手段ないし表示制御手段としての機能である。
尚、ステップＳ３４においては、適宜、ブザー吹鳴により警告音やＬＥＤの点滅表示などの併用によってユーザに対する報知・表示確認を必ず行うように注意的に促すようにしてもよい。
【００５４】
図２０に示すプリンタドライバ表示部２０の画面表示における「<針無し>、２枚〜５枚、斜め１箇所」、「<針有り>、６枚〜５０枚、長辺２箇所」及びそれらの図表示は、ＲＯＭ１３４（又はＲＯＭ１２４）に予め記憶されている関係データに基づくものである。即ち、ＣＰＵ１３０（又はＣＰＵ１２０）がＲＯＭ１３４（又はＲＯＭ１２４）の関係データを呼び出し、ユーザの印刷設定情報から針無し綴じユニット２０１と針有り綴じユニット２０２とによりそれぞれなされる綴じ処理内容を導き出すことによって表示される。これは、勿論、用紙後処理装置の機種ごとに異なるものであってもよい。
プリンタドライバ表示部２０において、図の下方にある実行キー２０ａは設定確認画面の表示がユーザの希望するところで正しいときにマウスなどを用いて選択するためのキーである。キャンセルキー２０ｂは、設定確認画面の表示での実行をキャンセルする場合のものである。また、設定変更キー２０ｃは、ユーザによる現在の印刷設定状況確認後に、ユーザにより設定された印刷設定を再度変更可能とする設定変更手段として機能する。
【００５５】
図２０の設定確認画面に表示された設定がユーザの希望するところで正しければ、ステップＳ３５の［選択肢１］において、ユーザは「実行」を選択すると、選択された印刷モードの設定条件で印刷を実行する（ステップＳ３６）。尚、実行キー２０ａを選択すると、実行キー部分が白黒反転表示されることで、画面表示内容が選択されたことを表示するようになっている。これは、他のソフトキーでも同様であるため、以下、そのような細部説明を省略する。
一方、上記設定がユーザの希望するところでなく、印刷指示自体をキャンセルしたければ、ユーザは図２０の設定確認画面２０で「キャンセル」を選択し（ステップＳ３５）、再度印刷モードの選択（ステップＳ３１）からやり直すこととなる。
【００５６】
以上説明した通り、実施形態２の動作例４によれば、以上の設定確認制御を行うことで、ユーザの意図通りの出力結果（用紙束の処理を含む）を得ることができる。
換言すれば、針有り綴じユニット２０２及び針無し綴じユニット２０１の両方を搭載する用紙後処理装置６と画像形成装置１とパソコン１０とのシート処理システムにおいて、以下の効果を奏する。即ち、綴じ処理についてのシステム設定値を変更することなくパソコン１０側（プリンタツール側）の設定で希望の処理を実行することができる。
【００５７】
（動作例５）
図２１〜図２４を参照して、実施形態２の動作例４とは別の動作例５を説明する。図２１は実施形態２の動作例４とは別の動作例５の動作順序を示すフローチャートである。図２２はプリンタドライバ表示部に表示される綴じ設定変更画面の表示例を、図２３はプリンタドライバ表示部に表示される綴じ設定変更画面（変更後）の表示例を示す平面図である。図２４はプリンタドライバ表示部に表示される綴じ設定変更画面（変更後）の図２３とは別の表示例を示す平面図である。
動作例５は、ステップＳ４１から始まる。動作例５は、動作例４と比較して、図２１に示すように、第１に、キャンセルしなくてもスティプルモードの設定を変更可能にするため、設定確認画面で表示された設定を変更したいユーザは「設定変更」を選択できるようにした点（ステップＳ４５）が異なる。第２に、図２２、図２３に示すようにスティプルモードの設定を変更する画面を出力する点（ステップＳ４７）が異なる。
上記相違点以外の動作例５は、動作例４と同様である。即ち、動作例５におけるステップＳ４５を除くステップＳ４１〜ステップＳ４６は、動作例４におけるステップＳ３５を除くステップＳ３１〜ステップＳ３６と同じである。
【００５８】
ステップＳ４５において、設定確認画面で表示された設定を変更したいユーザが「設定変更」を選択した場合には、スティプルモード設定変更画面が表示される（ステップＳ４７）。動作例５の設定変更画面では、ユーザの意図通りになるまで、設定変更を繰り返し（ステップＳ４８→ステップＳ４９→ステップＳ４７のループ）、変更が終了したら、設定の確認画面を表示する（ステップＳ４４）。
図２１のステップＳ４７で、ユーザに表示する設定変更画面の例が、図２２と図２３に示されている（両図には「綴じ設定変更画面」と記載している）。例えば、図２２の綴じ設定変更画面では画像形成装置１から搬送される用紙の枚数によって、針無し綴じの設定上限枚数（例では５枚）以下であれば針無し綴じを、設定上限以上であれば針有り綴じを「自動」で切り替える設定である。しかし、少数枚でも針有り綴じを行いたい場合は、図２３の綴じ設定変更画面（変更後）に示すように、スティプルモードを「針有り」に変更することで、針無し綴じの上限枚数に関わらず、確実に、針有り綴じを施すことができる（図２４参照）。具体的には、ユーザは図２３の綴じ設定変更画面（変更後）において、スティプルモードを「針有り」に変更したいので、「針有り」キーを選択すると、図２４に示す設定確認画面（変更後）に自動的に切り替わる。
尚、図２２、図２３の「綴じ設定変更画面」の下方にある決定キー２０ｄは、その綴じ設定変更画面がユーザの意図する通りで最終的に選択決定するためのものである。
【００５９】
実施形態２の動作例５によれば、以上の設定確認制御を行うことで、ユーザの意図通りの出力結果（用紙束の処理を含む）を得ることができる。また、スティプル機能に絞って、印刷設定を変更することが可能なため、ユーザの手間を省略することができる。
【００６０】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。例えば、上記実施形態や実施例等に記載した技術事項を適宜組み合わせたものであってもよい。
【００６１】
上記した実施形態１は画像形成システムの一例であり、本発明に係るシート処理装置単独での実施形態例（シート処理装置が独立して商品の移動形態となる例）の説明は省略した。そこで、シート処理装置単独での実施形態１の主な構成例を補説すると、以下のようになる。例えば、図８及び図９に示した報知手段・表示手段としてのＬＣＤ表示部１２８の一部機能である、各綴じ処理内容を報知・表示する機能だけを有するＬＣＤ表示部をシート処理装置が備えていてもよい。また、シート処理装置と画像形成装置との接続後に、画像形成装置側の操作部が備えるＬＣＤ表示部に各綴じ処理内容を報知・表示する機能を統合するようにしてもよい。
上記した実施形態１の画像形成システムに限らず、画像形成システムに代えて、例えば、画像形成装置１自体がシート処理装置としての用紙後処理装置６の構成を備える画像形成装置であってもよい。
【００６２】
本発明の実施の形態に適宜記載された効果は、本発明から生じる最も好適な効果を列挙したに過ぎず、本発明による効果は、本発明の実施の形態に記載されたものに限定されるものではない。
【符号の説明】
【００６３】
１    画像形成装置
１Ａ  画像形成装置の装置本体
６    用紙後処理装置（シート処理装置の一例）
１０    パソコン（コンピュータの一例）
１１    ＣＰＵ
１４    記憶装置
１６    入力装置
１８    出力装置
２０    プリンタドライバ表示部（報知手段、表示手段の一例）
２０ｃ  設定変更キー（変更設定手段の一例）
１２７    操作部
１２８    ＬＣＤ表示部（報知手段、表示手段の一例）
１２８ｃ  設定変更キー（変更設定手段の一例）
１３０    ＣＰＵ（制御手段、導出手段、報知制御手段・表示制御手段の一例）
２０１    針無し綴じユニット（第１の綴じ手段の一例）
２０２    針有り綴じユニット（第２の綴じ手段の一例）
【先行技術文献】
【特許文献】
【００６４】
【特許文献１】特開２０１３−１７００６７号公報
【図１】
0006565354.tif 000002
【図２】
0006565354.tif 000003
【図３】
0006565354.tif 000004
【図４】
0006565354.tif 000005
【図５】
0006565354.tif 000006
【図６】
0006565354.tif 000007
【図７】
0006565354.tif 000008
【図８】
0006565354.tif 000009
【図９】
0006565354.tif 000010
【図１０】
0006565354.tif 000011
【図１１】
0006565354.tif 000012
【図１２】
0006565354.tif 000013
【図１３】
0006565354.tif 000014
【図１４】
0006565354.tif 000015
【図１５】
0006565354.tif 000016
【図１６】
0006565354.tif 000017
【図１７】
0006565354.tif 000018
【図１８】
0006565354.tif 000019
【図１９】
0006565354.tif 000020
【図２０】
0006565354.tif 000021
【図２１】
0006565354.tif 000022
【図２２】
0006565354.tif 000023
【図２３】
0006565354.tif 000024
【図２４】
0006565354.tif 000025